(57)【特許請求の範囲】
【請求項１】
写真フィルムを巻回して得られるロール体を同ロール体の外周面との接当を介して保持するベルト部材を有し、
前記ベルト部材は、前記ロール体を形成している写真フィルムの幅方向に並設された２本のベルト部材であり、前記ロール体は、前記２本のベルト部材を介して回転操作可能に設けられており、
前記各ベルト部材の弛みを吸収することによって、写真フィルムの出し入れに基づく前記ロール体の外径変化に拘わらず前記各ベルト部材に張力を保持するための一対の弛み吸収機構が設けられており、さらに、
前記ベルト部材に保持されている張力を写真フィルムの幅方向に関して不均等にする張力不均等化手段が設けられており、前記張力不均等化手段は、互いに異なった弾性係数を持つ前記２本のベルト部材によって構成されているフィルムマガジン。
【請求項２】
写真フィルムを巻回して得られるロール体を同ロール体の外周面との接当を介して保持するベルト部材を有し、
前記ベルト部材は、前記ロール体を形成している写真フィルムの幅方向に並設された２本のベルト部材であり、前記ロール体は、前記２本のベルト部材を介して回転操作可能に設けられており、
前記各ベルト部材の弛みを吸収することによって、写真フィルムの出し入れに基づく前記ロール体の外径変化に拘わらず前記各ベルト部材に張力を保持するための一対の弛み吸収機構が設けられており、さらに、
前記ベルト部材に保持されている張力を写真フィルムの幅方向に関して不均等にする張力不均等化手段が設けられており、
前記弛み吸収手段は、前記ベルト部材を所定箇所で引き絞って前記弛みを所定箇所に集めるために写真フィルムの幅方向に並設された一対の付勢手段であり、互いに付勢力が異なる前記一対の付勢手段が前記張力不均等化手段を構成しているフィルムマガジン。
【請求項３】
前記ベルト部材は写真フィルムの一対のパーフォレーション部と接当可能な２本のベルト部材であり、前記弛み吸収手段は、前記各ベルト部材と係合したテンションプーリと、前記各テンションプーリの軸芯を所定方向に付勢するために前記各テンションプーリに対応して設けられたバネとを有し、前記バネどうしは弾性係数が異なっている請求項２に記載のフィルムマガジン。
【請求項４】
互いに独立して揺動可能な２本のテンションアームが設けられており、前記テンションプーリは前記各テンションアームの遊端側に支持されており、前記各テンションアームを所定姿勢に付勢するために一端が前記各テンションアームの揺動部位に固定された一対の引っ張りコイルバネである請求項３に記載のフィルムマガジン。
【請求項５】
写真フィルムを巻回して得られるロール体を同ロール体の外周面との接当を介して保持するベルト部材を有し、
前記ベルト部材は、前記ロール体を形成している写真フィルムの幅方向に並設された２本のベルト部材であり、前記ロール体は、前記２本のベルト部材を介して回転操作可能に設けられており、
前記各ベルト部材の弛みを吸収することによって、写真フィルムの出し入れに基づく前記ロール体の外径変化に拘わらず前記各ベルト部材に張力を保持するための一対の弛み吸収機構が設けられており、さらに、
前記ベルト部材に保持されている張力を写真フィルムの幅方向に関して不均等にする張力不均等化手段が設けられており、
前記弛み吸収手段は、前記各ベルト部材を所定箇所で引き絞って前記弛みを所定箇所に集めるために写真フィルムの幅方向に並設された一対の付勢手段であり、前記張力不均等化手段は、前記一対の付勢手段の少なくとも一方に設けられた付勢力調整機構によって構成されているフィルムマガジン。
【請求項６】
前記ベルト部材は写真フィルムの一対のパーフォレーション部と接当する２本のベルト部材であり、前記弛み吸収手段は、前記２本のベルト部材に対応して互いに独立して揺動可能に設けられた２本のテンションアームと、前記各テンションアームの遊端側に回転可能に支持されつつ前記各ベルト部材と係合したテンションプーリと、前記各テンションアームを所定姿勢に付勢するために一端が前記各テンションアームの揺動部位に固定された一対の引っ張りコイルバネとを有し、前記付勢力調整機構は、少なくとも一方の前記引っ張りコイルバネの他端を移動させる変位手段である請求項５に記載のフィルムマガジン。
【請求項７】
前記ベルト部材と前記ロール体とを収納する函体が設けられており、前記変位手段は、前記引っ張りコイルバネの他端を支持しつつ前記函体に対して変位可能に設けられた支持片と、前記支持片の位置を前記函体に対して相対移動させる固定位置調節手段とからなる請求項６に記載のフィルムマガジン。
【発明の詳細な説明】
【０００１】
【発明の属する技術分野】
本発明は、写真フィルムを取出し可能に格納するためのフィルムマガジンに関する。
【０００２】
【従来の技術】
この種のフィルムマガジンとしては、特開昭５６−４２２２７号公報に記載された写真焼付用カートリッジが知られている。
この写真焼付用カートリッジでは、図８−イ、ロに示すように、コア２０１によって一定方向に巻取られる長尺の格納用テープ２０３が形成するテープロール２０６の間に複数のピースフィルムＰＮを、スプライスすることなく順次挟み込んで格納し、また、格納されていたピースフィルムＰＮを、巻取られた格納用テープ２０３を巻戻すことによって順次抽出しては、プリンタ装置の露光部まで搬送し、印画紙に焼き付けすることができる。すなわち、多数のピースフィルムＰＮを、スプライスで接続するまでもなく、ばらばらの状態で格納用テープ２０３の間に格納することができ、しかも、排出時のフィルムの順序は、格納時と逆の順番が守られるという利点がある。因みに、この従来例では、格納用テープ２０３をピースフィルムＰＮと共に巻取るためのコア２０１の軸芯は所定位置に固定されているため、形成されるロール２０６の外径が、巻取るフィルムの数量や長さに応じて拡大することに応じて、ピースフィルムＰＮの通過経路Ｐは変化せざるを得ない構成であった。したがって、ピースフィルムＰＮの出し入れを十分に円滑に行うために、ロール２０６を外側から押さえ込む圧着ローラ２０７の位置や、圧着ローラ２０７とフィルム搬送ローラ２０８の間においてピースフィルムＰＮをガイドするガイド部材２０９の姿勢を、ピースフィルムＰＮの通過経路Ｐの変化に沿って変更可能に設けてある。
【０００３】
一方、上記の従来例のように多数のピースフィルムを、スプライスで接続することなく、ばらばらの状態で格納可能なフィルムマガジンを使用する際には、各ピースフィルムの先頭部の特定箇所などに、そのピースフィルムに割り当てたＩＤ番号、或いは、露光すべき画像駒の指定や各駒毎のプリント枚数をバーコードその他の形で示す情報シールを貼付した上で、フィルムマガジンに次々に格納しておけば、露光処理の工程では、露光装置がこのフィルムマガジンからピースフィルムを次々に引き出しては露光処理する際に、各ピースフィルムに対応したシールから露光に関する必要な指示を読取りながら露光処理を実施することができる。ただし、この場合、情報シールの適切な貼付方法としては、画像領域以外で比較的に面積の広い部分、すなわち、例えば上側のパーフォレーションに貼着する方法が考えられる。
【０００４】
【発明が解決しようとする課題】
しかしながら、上記の従来の構成のフィルムマガジンにおいて、情報シールを貼付した多数のピースフィルムを格納する場合、ロール体の情報シールの貼られた側の端部、すなわち例えば上側のパーフォレーションに相当する部位が他方の端部よりも、ピースフィルムと同じ数だけ貼られたシールの厚さだけ膨らみ、結果的に、写真フィルムの幅方向で外径が大きく異なった（円錐台形）ロール体が形成されるという現象が生じる。そして、このロール体の外径の偏りによって、フィルムマガジンからの排出時に写真フィルムがフィルムマガジンの出口付近など（上記の従来例では、ピースフィルムＰＮをロール２０６から出口までガイドするガイド部材２０９の端部が該当する）で詰まる、或いは、蛇行した状態で排出される等の問題が生じる可能性があり、改善の余地があった。
【０００５】
したがって、本発明の目的は、上に例示した従来技術によるフィルムマガジンの持つ前述した欠点に鑑み、各ピースフィルム毎に、フィルムの幅方向で偏った箇所、例えば上側のパーフォレーションの上などに情報シールを貼付して格納した場合でも、排出時にフィルムがフィルムマガジンの出口付近で詰まる、或いは、蛇行した状態で排出される等の問題が生じ難いフィルムマガジンを提供することにある。
【０００６】
【課題を解決するための手段】
上記目的を達成するために、本発明の請求項１によるフィルムマガジンは、
写真フィルムを巻回して得られるロール体を同ロール体の外周面との接当を介して保持するベルト部材を有し、
前記ベルト部材は、前記ロール体を形成している写真フィルムの幅方向に並設された２本のベルト部材であり、前記ロール体は、前記２本のベルト部材を介して回転操作可能に設けられており、
前記各ベルト部材の弛みを吸収することによって、写真フィルムの出し入れに基づく前記ロール体の外径変化に拘わらず前記各ベルト部材に張力を保持するための一対の弛み吸収機構が設けられており、さらに、
前記ベルト部材に保持されている張力を写真フィルムの幅方向に関して不均等にする張力不均等化手段が設けられており、前記張力不均等化手段は、互いに異なった弾性係数を持つ前記２本のベルト部材によって構成されていることを特徴構成としている。
【０００７】
このような特徴構成を備えているために、本発明の請求項１によるフィルムマガジンでは、写真フィルムの特定箇所に貼られた情報シールなどのために、写真フィルムの幅方向で実質的に厚さの異なる写真フィルムをロール体状に格納する場合にも、厚さが実質的に大きいと判明している側の写真フィルム部位（例えば上側のパーフォレーション）は、より張力の大きなベルト部材によって軸芯側に強めに押し付けられながら巻き回され、厚さがより小さい側の写真フィルム部位は、より張力の小さなベルト部材によって軸芯側に穏やかに押し付けられながら巻き回されるため、結果として、写真フィルムの幅方向におけるロール体の外径差が生じ難いという効果が得られる。
さらに、上記の構成のフィルムマガジンでは、写真フィルムどうしが直接に面接触するように巻き回して形成されたロール体を、その外周から包囲するように、無端状のベルト部材が保持しており、このベルト部材を駆動することによって生じるロール体の回転を利用して、写真フィルムの出し入れを行う。したがって、写真フィルムを挟み込むための媒体としての第２の帯状部材が不要なため、多数の画像駒をコンパクトに格納することができる。しかも、形成されたロール体をその最外周面からベルト部材で抑えて保持するので、スプライスによって長尺化された一本のフィルムに限らず、ばらばらのピースフィルム（一般に原則として５〜６駒ずつで切断された短いネガフィルム等を指す）も格納することができる。しかも、写真フィルムの長手方向の端部どうしが僅かずつ重なり合うようにロール化しておけば、排出の順番も格納時の逆順を守ることができて有利である。
加えて、上記の構成のフィルムマガジンでは、各ベルト部材に張力を保持するための弛み吸収機構が、２本のベルトの個々に対応して独立的に設けられているので、例えば紫外線や老朽化などによる特性の劣化（ベルトの伸びや弾性係数の変化）が、２本のベルトの一方のみにおいて先行して生じた場合でも、ロール体を周方向で支持する機能が双方のベルト部材に保たれる。そして、張力不均等化手段としては、前記２本のベルト部材を、互いに異なった弾性係数を持つベルト部材とすれば良い。ベルト部材に対して、互いに異なった弾性係数を持たせる手法としては、２本のベルト部材の間で幅或いは厚さを違える、弾性係数が互いに異なる二つの材質を採用する等が可能である。
【０００８】
或いはまた、上記目的を達成するために、本発明の請求項２によるフィルムマガジンは、
写真フィルムを巻回して得られるロール体を同ロール体の外周面との接当を介して保持するベルト部材を有し、
前記ベルト部材は、前記ロール体を形成している写真フィルムの幅方向に並設された２本のベルト部材であり、前記ロール体は、前記２本のベルト部材を介して回転操作可能に設けられており、
前記各ベルト部材の弛みを吸収することによって、写真フィルムの出し入れに基づく前記ロール体の外径変化に拘わらず前記各ベルト部材に張力を保持するための一対の弛み吸収機構が設けられており、さらに、
前記ベルト部材に保持されている張力を写真フィルムの幅方向に関して不均等にする張力不均等化手段が設けられており、
前記弛み吸収手段は、前記ベルト部材を所定箇所で引き絞って前記弛みを所定箇所に集めるために写真フィルムの幅方向に並設された一対の付勢手段であり、互いに付勢力が異なる前記一対の付勢手段が前記張力不均等化手段を構成していることを特徴構成としている。
【０００９】
このような特徴構成を備えているために、本発明の請求項２によるフィルムマガジンでは、写真フィルムの特定箇所に貼られた情報シールなどのために、写真フィルムの幅方向で実質的に厚さの異なる写真フィルムをロール体状に格納する場合にも、厚さが実質的に大きいと判明している側の写真フィルム部位は、より張力の大きなベルト部材によって軸芯側に強めに押し付けられながら巻き回され、厚さがより小さい側の写真フィルム部位は、より張力の小さなベルト部材によって軸芯側に穏やかに押し付けられながら巻き回されるため、結果として、写真フィルムの幅方向におけるロール体の外径差が生じ難いという効果が得られる。
さらに、上記の構成のフィルムマガジンでは、写真フィルムどうしが直接に面接触するように巻き回して形成されたロール体を、その外周から包囲するように、無端状のベルト部材が保持しており、このベルト部材を駆動することによって生じるロール体の回転を利用して、写真フィルムの出し入れを行う。したがって、写真フィルムを挟み込むための媒体としての第２の帯状部材が不要なため、多数の画像駒をコンパクトに格納することができる。しかも、形成されたロール体をその最外周面からベルト部材で抑えて保持するので、スプライスによって長尺化された一本のフィルムに限らず、ばらばらのピースフィルムも格納することができる。しかも、写真フィルムの長手方向の端部どうしが僅かずつ重なり合うようにロール化しておけば、排出の順番も格納時の逆順を守ることができて有利である。
加えて、上記の構成のフィルムマガジンでは、各ベルト部材に張力を保持するための弛み吸収機構が、２本のベルトの個々に対応して独立的に設けられているので、例えば紫外線や老朽化などによる特性の劣化が、２本のベルトの一方のみにおいて先行して生じた場合でも、ロール体を周方向で支持する機能が双方のベルト部材に保たれる。また、特に、前記弛み吸収手段を、前記ベルト部材を所定箇所で引き絞って前記弛みを所定箇所に集めるために写真フィルムの幅方向に並設された一対の付勢手段によって構成し、前記一対の付勢手段の付勢力を互いに異なるものとすることで、これら一対の付勢手段を前記張力不均等化手段とすることができる。
【００１０】
具体的には、ベルト部材を写真フィルムの一対のパーフォレーション部と接当する２本のベルト部材とし、前記弛み吸収手段が、前記各ベルト部材と係合したテンションプーリと、前記各テンションプーリの軸芯を所定方向に付勢するために前記各テンションプーリに対応して設けられたバネとを有し、前記バネどうしの弾性係数を互いに異なるものとすれば良い。
【００１１】
さらに具体的には、互いに独立して揺動可能な２本のテンションアームを設け、前記テンションプーリは各テンションアームの遊端側に支持されており、各テンションアームを所定姿勢に付勢するために一端が各テンションアームの揺動部位に固定された一対の引っ張りコイルバネを設けて、前記引っ張りコイルバネどうしの弾性係数を互いに異なるものとすれば良い。このような構成にしておけば、引っ張りコイルバネどうしの付勢力の差が、貼付された情報シールの厚さなどに適したものとなるように、適切な特性の引っ張りコイルバネを取り替えることの出来る構造も容易に実現できる。
【００１２】
或いはまた、上記目的を達成するために、本発明の請求項５によるフィルムマガジンは、
写真フィルムを巻回して得られるロール体を同ロール体の外周面との接当を介して保持するベルト部材を有し、
前記ベルト部材は、前記ロール体を形成している写真フィルムの幅方向に並設された２本のベルト部材であり、前記ロール体は、前記２本のベルト部材を介して回転操作可能に設けられており、
前記各ベルト部材の弛みを吸収することによって、写真フィルムの出し入れに基づく前記ロール体の外径変化に拘わらず前記各ベルト部材に張力を保持するための一対の弛み吸収機構が設けられており、
前記ベルト部材に保持されている張力を写真フィルムの幅方向に関して不均等にする張力不均等化手段が設けられており、
前記弛み吸収手段は、前記各ベルト部材を所定箇所で引き絞って前記弛みを所定箇所に集めるために写真フィルムの幅方向に並設された一対の付勢手段であり、前記張力不均等化手段は、前記一対の付勢手段の少なくとも一方に設けられた付勢力調整機構によって構成されていることを特徴構成としている。
このような特徴構成を備えているために、本発明の請求項５によるフィルムマガジンでは、写真フィルムの特定箇所に貼られた情報シールなどのために、写真フィルムの幅方向で実質的に厚さの異なる写真フィルムをロール体状に格納する場合にも、厚さが実質的に大きいと判明している側の写真フィルム部位は、より張力の大きなベルト部材によって軸芯側に強めに押し付けられながら巻き回され、厚さがより小さい側の写真フィルム部位は、より張力の小さなベルト部材によって軸芯側に穏やかに押し付けられながら巻き回されるため、結果として、写真フィルムの幅方向におけるロール体の外径差が生じ難いという効果が得られる。
さらに、上記の構成のフィルムマガジンでは、写真フィルムどうしが直接に面接触するように巻き回して形成されたロール体を、その外周から包囲するように、無端状のベルト部材が保持しており、このベルト部材を駆動することによって生じるロール体の回転を利用して、写真フィルムの出し入れを行う。したがって、写真フィルムを挟み込むための媒体としての第２の帯状部材が不要なため、多数の画像駒をコンパクトに格納することができる。しかも、形成されたロール体をその最外周面からベルト部材で抑えて保持するので、スプライスによって長尺化された一本のフィルムに限らず、ばらばらのピースフィルムも格納することができる。しかも、写真フィルムの長手方向の端部どうしが僅かずつ重なり合うようにロール化しておけば、排出の順番も格納時の逆順を守ることができて有利である。
加えて、上記の構成のフィルムマガジンでは、各ベルト部材に張力を保持するための弛み吸収機構が、２本のベルトの個々に対応して独立的に設けられているので、例えば紫外線や老朽化などによる特性の劣化が、２本のベルトの一方のみにおいて先行して生じた場合でも、ロール体を周方向で支持する機能が双方のベルト部材に保たれる。また、特に、弛み吸収手段を、ベルト部材を所定箇所で引き絞ってベルト部材の前記弛みを所定箇所に集めるために写真フィルムの幅方向に並設された一対の付勢手段によって構成し、これら一対の付勢手段の少なくとも一方に付勢力調整機構を設けて、これを張力不均等化手段とすることができる。
【００１３】
ベルト部材を写真フィルムの一対のパーフォレーション部と接当する２本のベルト部材とし、前記弛み吸収手段は、これら２本のベルト部材に対応して互いに独立して揺動可能に設けられた２本のテンションアームと、各テンションアームの遊端側に回転可能に支持されつつ各ベルト部材と係合したテンションプーリと、各テンションアームを所定姿勢に付勢するために一端が各テンションアームの揺動部位に固定された一対の引っ張りコイルバネとを有し、少なくとも一方の引っ張りコイルバネの他端を移動させる変位手段を設けて、この変位手段を付勢力調整機構としても良い。
【００１４】
ベルト部材とロール体とを収納する函体を設け、変位手段を、引っ張りコイルバネの他端を支持しつつ前記函体に対して変位可能に設けられた支持片と、この支持片の位置を函体に対して相対移動させる固定位置調節手段とから構成すれば良い。
【００１５】
本発明によるその他の特徴および利点は、以下図面を用いた実施形態の説明により明らかになるであろう。
【００１６】
【発明の実施の形態】
本発明のフィルムマガジンの実施形態の一例について図面に基づいて解説する。このフィルムマガジンは、スプライスされていない個々に独立した状態の多数のピースフィルム（写真フィルムの一例）を順番に格納し、また格納した時と逆の順序で排出することができる。
尚、各ピースフィルム２の一部には、ピースフィルム２を特定するためのＩＤ番号を含む情報シール２ａが貼着されている。これらの情報シールは、裏面側に粘着層を備えた紙製または薄い樹脂製の小さなシートであり、表面側にはバーコードによって上記の情報が印刷されている。情報シール２ａは、画像がある駒領域を避けて、一対のパーフォレーション部の片方を利用して貼着されており、本実施形態では、各ピースフィルム２の長手方向の一端、すなわち、フィルムマガジン１に格納する際に各ピースフィルム２の再後端、フィルムマガジン１から引き出す際の先頭部に相当する位置に貼着されている。因みに、情報シールとしてはフィルムの画像領域を除いた部位（例えばパーフォレーション部）に貼着可能な寸法であれば良いが、本実施形態では、幅が約５ｍｍ、長さが約２０ｍｍの大きさを持ち、粘着層を含めた厚さが約２００ミクロンの情報シール２ａを用いている。これを前記粘着層を介してピースフィルム２に貼着すると、この貼着された部分のピースフィルム２の厚さは、約３５０ミクロンとなる（貼着前のピースフィルム２の厚さは約１５０ミクロン）。
【００１７】
図１に示されたフィルムマガジン１は、図３、４に示されるように、平滑度の高い内側面４ｉ，４ｉを備えたステンレス鋼など金属製のケース部材４を備えている。内側面４ｉ，４ｉどうしは３５ｍｍフィルムのピースフィルム２より僅かに広い幅をもって離間しており、両内側面４ｉ，４ｉの間には、外部からの回転駆動力で回転操作可能な駆動ローラとしてのタイミングプーリ６と、回転軸芯を水平向きに固定されたタイミングプーリ８，１０ａ，１０ｂ，１０ｃ，１０ｄ，１０ｅ，１０ｆが回転自在に支持されている。
さらに、両内側面４ｉ，４ｉの間には、合成樹脂製で円筒状のコア４０が、回転自在、軸芯移動自在に収納されている。コア４０の幅寸法は、内側面４ｉ，４ｉ内で自由に、しかも「がたつき」のない状態で移動および回転できるように決められている。尚、コア４０は、後述する要領にて、ケース部材４から取り出し自在に構成されている。
【００１８】
また、ケース部材４内には、一対のゴム製の無端のタイミングベルト３０が設けられており、その一端はコア４０の外周に巻き回され、タイミングベルト３０の残りの部分は、タイミングプーリ６，８の間を通過した後、軸芯がケース部材４に固定されたタイミングプーリ１０ａ，１０ｂ，１０ｃ，１０ｄ，１０ｅ，１０ｆの外周に巻き回されている。そして、ケース部材４内には、タイミングベルト３０に一定量以上の張力を加えるためのテンションプーリ１６，１７が設けられているので、コア４０は、タイミングベルト３０によって常にタイミングプーリ６，８の側に引き寄せられている。言い換えれば、タイミングプーリ６，８は、コア４０（または、後述する要領でコア４０上に形成されるフィルムのロール体）を、タイミングベルト３０を介して支持する一対の回転部材を構成しており、その結果、コア４０上に巻き付けられるフィルムの量に拘わらず、常に安定してコア４０または前記ロール体をケース部材４内にて保持できる。
尚、図１０に示されるように、タイミングベルト３０は、格納される写真フィルムをそのパーフォレーション部で押し付ける２本のベルト部材３０ａ，３０ｂからなる。
【００１９】
この実施形態においては、図１に最も良く示されるように、テンションプーリ１６，１７は、２本のタイミングベルト３０ａ，３０ｂ毎に独立して設けられている。すなわち、図１の左側に示されるタイミングベルト３０ａに張力を与える１６Ｌ，１７Ｌ、および、図１の右側に示されるタイミングベルト３０ｂに張力を与える１６Ｒ，１７Ｒである。テンションプーリ１６，１７を位置変更可能に支持する支持部材としてのテンションアーム１２もまた、２本のタイミングベルト３０ａ，３０ｂ毎に独立して設けられている。すなわち、ケース部材４に対して互いに独立して揺動可能な左右一対のテンションアーム１２Ｌ，１２Ｒが設けられており、左側のテンションプーリ１６Ｌ，１７Ｌは、テンションアーム１２Ｌ上に、右側のテンションプーリ１６Ｒ，１７Ｒは、テンションアーム１２Ｒ上に、それぞれ回転自在に支持されている。テンションアーム１２Ｌ，１２Ｒはステンレス鋼などの剛性材料で形成されている。
【００２０】
各テンションアーム１２Ｌ，１２Ｒは、ケース部材４上に軸芯１２ａ周りで揺動可能に設けられており、付勢機構によって、常にテンションアーム１２Ｌ，１２Ｒの遊端がタイミングプーリ６，８に接近する姿勢に付勢されている。前記付勢機構は、ケース部材４外に回転自在に但し軸芯位置移動不能に設けられたプーリ２４Ｌ，２４Ｒと、一端がテンションアーム１２Ｌ，１２Ｒの中間位置に設けられたピン１２ｂに固定されプーリ２４に巻き回されたワイヤロープ２５Ｌ，２５Ｒと、ワイヤロープ２５の他端を、タイミングプーリ６，８から引き離すように引っ張るために一端をケース部材４上に固定されたコイルバネ２６Ｌ，２６Ｒからなる。
このように、タイミングベルト３０ａ，３０ｂに掛かる張力を所定値以上に保持するためのテンションプーリ１６，１７と、テンションプーリを支持するための変位可能な支持部材としてのテンションアーム１２と、テンションアーム１２の姿勢をロール体の外径に拘わらずタイミングベルト３０ａ，３０ｂに掛かる張力が保持されるように付勢する付勢手段（コイルバネ２６Ｌ，２６Ｒ）とが、二本のタイミングベルト３０ａ，３０ｂの個々に対応して独立して設けられているので、何らかの原因でタイミングベルト３０ａ，３０ｂの片方が不可逆的に伸びてしまう等、二本のタイミングベルト３０ａ，３０ｂどうしの間に長さの相違が生じても、タイミングベルト３０ａ，３０ｂには所定量以上の張力が維持されるので、例えば伸びた方のタイミングベルト３０が、駆動ローラとしてのタイミングプーリ６上を空回りする等の誤動作が防止される。
【００２１】
尚、格納される各ピースフィルム２の情報シール２ａが貼着されている側に対応するテンションアーム１２Ｒを付勢するコイルバネ２６Ｒは、ケース部材４上に直接に固定されているが、図１に示されるように、情報シール２ａが貼着されていない側に対応するテンションアーム１２Ｌを付勢するコイルバネ２６Ｌは、ケース部材４上をコイルバネ２６Ｌの伸長方向に沿って摺動移動可能に支持されたプレート５２（変位可能に設けられた支持片の一例）上に固定されている。プレート５２は、ケース部材４（函体の一例）の外面に固着された一対のアングル部材５４，５４の間に摺動自在に支持されている。また、一対のアングル部材５４，５４の長手方向の一端には、支持プレート５５がケース部材４から立設固定されており、一方、プレート５２の一端からもストッパー部５２ａが立設している。そして、支持プレート５５とストッパー部５２ａの双方にはそれぞれ貫通孔が形成されており、支持プレート５５とストッパー部５２ａとはこれらの貫通孔に挿通された一本の雄ネジ部材５６（固定位置調節手段の一例）によって連結されている。支持プレート５５に形成された貫通孔は、雄ネジ部材５６のネジ部の外径より十分に大きく、また、雄ネジ部材５６の頭部の外径より十分に小さい。一方、ストッパー部５２ａに形成された貫通孔には、雄ネジ部材５６のネジ部と螺合する雌ネジが切られている。したがって、コイルバネ２６Ｌの収縮力に基づくプレート５２のプーリ２４Ｌ側への移動は、プレート５２のストッパー部５２ａと雄ネジ部材５６のネジ部の間の係合、および、支持プレート５５と雄ネジ部材５６の頭部の間の接当によって阻止されている。そこで、雄ネジ部材５６を回転操作すると、雄ネジ部材５６の支持プレート５５に対する相対位置（支持プレート５５と雄ネジ部材５６の頭部とが接当した状態）は変化しないが、プレート５２の位置は、ストッパー部５２ａの雄ネジ部材５６に対する螺進を介して、コイルバネ２６Ｌの長手方向に沿って摺動移動するので、コイルバネ２６Ｌの実質的な弾性力を変更することができる。すなわち、ここでは摺動自在に設けられたプレート５２と、螺進可能に支持された雄ネジ部材５６とが、コイルバネ２６Ｌの実質的な弾性力を調整することのできる付勢力調整機構を構成している。この付勢力調整機構は、ひいては、タイミングベルト３０ａに保持されている張力をも調整可能である。
本実施形態では、図３に示されるように、雄ネジ部材５６を螺進させてストッパー部５２ａを上方に移動させることによって、プレート５２に支持されているコイルバネ２６Ｌの一端（図１〜３における下端）をプーリ２４Ｌ側へ移動させ、他方のコイルバネ２６Ｒの下端よりも上方に配置している。これによって、コイルバネ２６Ｌの見掛けの弾性率を、反対側のコイルバネ２６Ｒに比して低めに設定してある。このように設定しておけば、コア４０上に多数のピースフィルム２を巻き回す際にタイミングベルト３０ａからピースフィルム２に掛けられる求心方向の押し付け力が、タイミングベルト３０ｂのものより小さくなるので、本実施形態のように、右側のパーフォレーションのみに情報シール２ａが貼着されたピースフィルム２を多数格納しても、形成されるロール体ＲＭの外径は比較的に左右のバランスのとれた形態となる。
【００２２】
図４と５に示されるように、駆動ローラとしてのタイミングプーリ６は、これと同心状に支持されたギヤ７と一体的に回転するように設けられており、そして、ギヤ７と噛み合うようにフィルム巻き取り装置またはプリンタプロセッサー側に設けられ、図示されないステップモータなどで回転駆動される駆動ギヤ５０によって回転制御可能となっている。タイミングプーリ６が外力で図２の矢印向きに回転操作されると、タイミングベルト３０と、タイミングベルト３０の一部に内接したコア４０も、各々矢印の方向に回動される。
一対のタイミングプーリ６，８の間には、平滑な面を持った一対のフィルムガイド４５がフィルム出入口として水平に設けられている。
そこで、タイミングプーリ６ならびにタイミングベルト３０を、図２の矢印の方向に回転させながら、フィルムガイド４５からピースフィルム２などをタイミングプーリ６向きに挿入すると、ピースフィルム２の先端は、タイミングプーリ６上のタイミングベルト３０とコア４０との間に挟持されつつ、先ず、タイミングプーリ６とコア４０の接線方向に引き取られ、次に、ピースフィルム２の全体がコア４０の外周上に巻き付けられて行く、言い換えれば、コア４０の外周面とコア４０上に巻き付けられているタイミングベルト３０との間に収納されて行く。
【００２３】
さらに、多数のピースフィルム２が次々に挿入されると、これらも全て、同様に、コア４０とタイミングベルト３０との間に収納できる。以上の操作によって、図５に示されるように、コア４０の外周上には、（タイミングプーリ６の回転操作により、コア４０とタイミングベルト３０の間に挟まれたロール体ＲＭも、タイミングベルト３０を介して回動されるので）多数のピースフィルム２からなるロール体ＲＭが形成されるが、このロール体ＲＭ内では、常に、最初に挿入したピースフィルム２（ロール体ＲＭの最も内側に位置し、コア４０に接している）に始まり、最後に挿入したピースフィルム（ロール体ＲＭの最も外側に位置し、タイミングベルト３０に接している）に至るまで、その挿入した際の順番が全て維持されている。
以上から理解されるように、一対のタイミングプーリ６，８は、写真フィルムを巻き回して得られるロール体ＲＭを常にフィルムガイド４５近傍に保持し、同時に、ロール体ＲＭを回転駆動する機能を果たしている。
【００２４】
また、常にロール体ＲＭが、一対のタイミングプーリ６，８に押し付けられている構成であるので、言い換えれば、一対のタイミングプーリ６，８は、コア４０またはロール体ＲＭを、タイミングプーリ６とコア４０が作る接線またはタイミングプーリ６とロール体ＲＭとが作る接線の方向が、フィルムガイド４５の案内方向とほぼ一致する姿勢で保持することができる。したがって、格納するフィルムの全長に応じてロール体ＲＭの外径が変化しても、マガジンのフィルム出入口におけるフィルムの姿勢、すなわち、フィルム通過経路としてのフィルムガイド４５からフィルムが進入する角度ならびにフィルムガイド４５へ排出される角度は変化せず、スムースなフィルムの出し入れが確保される。
さらに、コア４０とタイミングベルト３０の間に挟まれたフィルムのロール体ＲＭは、格納するフィルムの全長に応じて変化するフィルムロールの外径に拘わらず、また、ロール体ＲＭの外形の真円度が低い場合でも、その外周からタイミングベルト３０によって常に求心的に押し付けられているので、フィルムをマガジン内で安定して保持可能な上に、できたフィルムのロールの形状を保持するためにローラ部材などで直に押さえ付けることがないので、フィルムをマガジンに対して出し入れする際に、フィルムマガジン側とフィルムとの間に摩擦を生じる可能性が少ない。
【００２５】
そして、形成されるフィルムのロール体ＲＭを同ロールＲＭの外周側からの力で転がすことによって格納するので、スプールが外力で強制的に回転駆動され、そのスプールの外周にフィルムが巻き付けられる構成と異なり、スプールによってフィルムが内側から絞られて、フィルムの面どうしの間に摩擦を伴う周方向の「ずれ」が生じない。
また、タイミングベルト３０の回転駆動を介してロール体ＲＭを回転駆動するので、スプールが外力で強制的に回転駆動され、そのスプールの外周にフィルムが巻き付けられる構成と異なり、タイミングベルト３０の駆動速度を一定にすれば、形成されたロール体ＲＭの外径の変化に拘わらず、フィルムマガジン内に進入するフィルムのフィルムガイド４５付近における速度、および、フィルムマガジン内から引き出されるフィルムのフィルムガイド４５付近における速度は一定となる。
【００２６】
この実施形態では、タイミングプーリ６ならびにタイミングベルト３０によってロール体ＲＭの回転操作が開始される瞬間および停止される瞬間などに、コア４０またはロール体ＲＭが自重に基づいて起こすふらつき又は揺れの現象は、ロール体ガイド機構によって抑制されている。
前記ロール体ガイド機構は、コア４０の中心に固定された金属製の軸部材４０ｓと、ケース部材４の内側に設けられた一対のガイド溝６０，６０からなる。軸部材４０ｓは、コア４０の両側面から数ｍｍずつ突出するように、コア４０の幅よりも長めに設定されており、一対のガイド溝６０，６０は、この軸部材４０ｓの突出した部位を収納することによって、コア４０の移動方向を図５の矢印で示した直線方向に沿った線分内に規制する。
尚、ロール体ＲＭからのピースフィルム２の排出の際に、後続するピースフィルム２の先端がフィルムガイド４５の開口部に進入せずに、ロール体ＲＭの外周に貼り付いたまま、再びベルト部材３０の内周面に挟まれる事態（この現象の原因としては、本発明の除電手段によって排除し切れなかった弱い静電気の他に、ロール体ＲＭを形成している間にピースフィルム２に生じる巻き癖が考えられる）を防止するために、格納時には、後続して格納するピースフィルムの端部が先に格納したピースフィルムの端部の内周側に入り込むように、上にピースフィルムの端部どうしを数ｍｍの長さでオーバーラップさせた状態で格納すれば良い。このような要領で格納すれば、排出時には、後続して格納したピースフィルムが排出完了する直前に、先に格納したピースフィルムの先端をロール体ＲＭの外周から引き離してフィルムガイド４５まで案内することができる。
【００２７】
また、図６（イ）に示されるように、ケース部材４は、タイミングプーリ６を支持する上部ケース４ａと、タイミングプーリ８を支持する下部ケース４ｂとに分離形成されており、上部ケース４ａは、図６（ロ）に示されるように、下部ケース４ｂに設けられた軸芯Ｘ回りで下部ケース４ｂに対して揺動可能である。
そして、下部ケース４ｂには、樹脂製のガイド溝形成部材６０ａ，６０ａが取り付けられており、このガイド溝形成部材６０ａ，６０ａの各対向面に前述した一対のガイド溝６０，６０が形成されている。ガイド溝６０，６０は、タイミングプーリ６とタイミングプーリ８の各軸芯どうしを結ぶ線分に対してほぼ直角に交差するように、フィルムガイド４５から最も離間した第１端部６０ｃからフィルムガイド４５に最も近接した第２端部６０ｄまで、直線状に延びている。
第１端部６０ｃは、コア４０の軸部材４０ｓをガイド溝６０，６０内に受け入れるための開口部となっており、第１端部６０ｃには、コア４０の軸部材４０ｓの出し入れを容易にするための案内面６０ｅが形成されている。そこで、上部ケース４ａを下部ケース４ｂに対して揺動させて図６（ロ）や図７のように開いた上で、コア４０の軸部材４０ｓをガイド溝６０，６０内に挿入すると、テンションアーム１２Ｌ，１２Ｒ等からなる前記付勢機構とタイミングベルト３０の張力の作用で、コア４０は、ガイド溝６０，６０の第２端部６０ｄ側に付勢される。ガイド溝６０，６０の第２端部６０ｄは閉じられているので、上部ケース４ａを下部ケース４ｂに対して揺動させて開いた際に、上記付勢力によってフィルムマガジン１外に飛び出さない。
【００２８】
因みに、ガイド溝６０，６０の長さ、言い換えれば、第１端部６０ｃと第２端部６０ｄの位置は、図６（イ）に示されたような、全くフィルムが巻き付けられていない状態のコア４０が、タイミングプーリ６とタイミングプーリ８の双方に十分に接近してこれらのプーリと接線を形成可能となることを、閉じられた第２端部６０ｄが阻害しないように、そして、図５に示されたような、フィルムが最大量まで巻き付けられた状態のコア４０でも、第１端部６０ｃからガイド溝６０，６０を逸脱することのないように決められている。
コア４０をフィルムマガジン１内にセットする際には、先ず、上部ケース４ａを下部ケース４ｂに対して揺動させて開き、コア４０を、その外周の一部に一対のタイミングベルト３０ａ，３０ｂを巻き掛けながらガイド溝６０，６０内に挿入し、上部ケース４ａを下部ケース４ｂに対して逆向きに揺動させて閉じれば良い。この閉鎖操作によって、ガイド溝形成部材６０ａ，６０ａは上部ケース４ａの内側に挿入されるように構成されている。
尚、下部ケース４ｂの、ガイド溝形成部材６０ａ，６０ａの各外側に相当する位置からは、ノブ７０を回転可能に支持するノブ支持板７０ａが延びており、上部ケース４ａを下部ケース４ｂに対して閉じた後は、下部ケース４ｂの両側面に設けられたノブ７０を手動で時計回りに回転操作すれば、上部ケース４ａ側に形成された薄い入り江状の係合凹部７２が、ノブ７０のネック部とノブ支持板７０ａの間で締め付けられて、上部ケース４ａと下部ケース４ｂとは閉じられた状態でロックされる。ノブ７０と係合凹部７２からなるこのロック機構は、フィルムマガジン１の両側面に設けられている。
【００２９】
タイミングプーリ８、１０ａ，１０ｂ，１０ｃ，１０ｄ，１０ｅ，１０ｆ，１６，１７は、その名称の通り、タイミングベルト３０の内面に形成されたラック状の歯と係合する歯を備えているが、これらのタイミングプーリ、すなわち、駆動ローラとしてのタイミングプーリ６を除く全てのタイミングプーリはいずれも、図４に例示されたタイミングプーリ１０ｆに代表されるように、左右のタイミングプーリは互いに回転自在に、すなわち具体的にはボールベアリング１０Ｐを介して、軸１０Ｓ上に支持されている。したがって、コア４０をフィルムマガジン１に対して着脱する際などに、タイミングベルト３０の内面の歯とこれらのタイミングプーリの間で歯飛びが生じても、タイミングベルト３０の中途部分に局部的な延び縮みが維持されることはない。
尚、説明上の便宜のために、図１では、ケース部材を二点鎖線で、ケース部材上に設けられた各構成部品を実線で記し、図２から図５については、これらの全てを原則的に実線で記し、これらを更に覆うポリカーボネート等の透明樹脂製のカバー部材８０を二点鎖線で記している。また、図６と７については、カバー部材８０が示す外形を実線で示している。
【００３０】
〔別の実施形態〕
＜１＞上記の実施形態では、張力不均等化手段を、前記一対の付勢手段の少なくとも一方に設けられた付勢力調整機構によって実現している。しかしながら、一対の付勢手段として、元々の弾性係数の異なるバネなどを用いて、これを張力不均等化手段としても良い。これを上記の実施形態で適用された事情に即して言えば、情報シール２ａが貼着されていない側に対応する図１の左側のコイルバネ２６Ｌを、貼着されている側に対応する右側のコイルバネ２６Ｒに比して弾性係数の低いものとすれば、右側のパーフォレーションのみに情報シール２ａが貼着されたピースフィルム２を多数格納しても、形成されるロール体ＲＭの外径は比較的に左右のバランスのとれた形態となる。
【００３１】
＜２＞一方、一対の付勢手段には互いに同等の付勢力を付与しておき、一対のベルト部材として、互いに張力の異なるものを用いて、これを上記の実施形態で適用された事情に即して言えば、情報シール２ａが貼着されていない側に対応する図１の左側のベルト部材３０ａを、貼着されている側に対応する右側のベルト部材３０ｂに比して張力の弱いものとすれば、右側のパーフォレーションのみに情報シール２ａが貼着されたピースフィルム２を多数格納しても、形成されるロール体ＲＭの外径は比較的に左右のバランスのとれた形態となる。一対のベルト部材どうしで張力を異ならせる方法としては、材質自身の弾性係数や断面形状が同じ同材質で、長さだけが異なるベルトとすれば良い。また、一対のベルト部材どうしで張力を異ならせる方法として他に、長さが同一だが、弾性係数の違う２本のベルトとすることによって張力を異ならせても良い。
【図面の簡単な説明】
【図１】本発明によるフィルムマガジンのもう一つの別実施形態を示す斜視図
【図２】図１のフィルムマガジンの側面図
【図３】図１のフィルムマガジンの背面図
【図４】図１のフィルムマガジンの平面図
【図５】図１に対応する別の状態におけるフィルムマガジンの側面図
【図６】図１のフィルムマガジンの開閉操作を示す側面図
【図７】コアの出し入れを説明する側面図
【図８】フィルムマガジン従来例を示す斜視図
【符号の説明】
２      フィルム
４      ケース体
６，８  タイミングプーリ
１０    タイミングプーリ
１２    テンションアーム
１６    テンションプーリ
３０    タイミングベルト
４０    コア
４５    フィルムガイド
５２    プレート
５２ａ  ストッパー部
５４    アングル部材
５５    支持プレート
５６    雄ネジ部材
ＲＭ    ロール体
【図１】
0003625032.tif 000002
【図２】
0003625032.tif 000003
【図３】
0003625032.tif 000004
【図４】
0003625032.tif 000005
【図５】
0003625032.tif 000006
【図６】
0003625032.tif 000007
【図７】
0003625032.tif 000008
【図８】
0003625032.tif 000009